(57)【要約】【課題】光ピックアップのティルトを調整する光ディスクプレーヤのティルト調整装置を提供する。【解決手段】光ピックアップの両側に互いに平行に設けられて光ピックアップの往復移送をガイドする二つのガイドシャフト各々の少なくとも第１端部に設けられる調整端部と、調整端部の底面に接触されるように調整端部の下側に配置されて調整端部に上方向弾性力を印加する弾性部材と、調整端部の上側に設けられたブラケットに形成された貫通ホールに挿入されて固設され、その中心部に上下に貫通されたねじ締め付けホールが形成され、その下端部は調整端部側へ突出されて前記調整端部の上昇高さを制限するストッパと、ストッパに形成されたねじ締め付けホールに締め付け、その下端部は調整端部に接触されて調整端部を干渉することによりガイドシャフトを所定角度回動させてガイドシャフトの傾きを調整する調整ねじとを備える。【選択図】　図４
2004071136.tif 000002
【特許請求の範囲】
【請求項１】
光ピックアップから射出される光がディスクの記録面に垂直に入射されるように前記光ピックアップのティルトを調整する光ディスクプレーヤのティルト調整装置において、
前記光ピックアップの両側に互いに平行するように設けられて前記光ピックアップの往復移送をガイドする二つのガイドシャフト各々の少なくとも第１端部に設けられる調整端部と、
前記調整端部の底面に接触するように前記調整端部の下側に配置されて前記調整端部に上方向弾性力を印加する弾性部材と、
前記調整端部の上側に設けられたブラケットに形成された貫通ホールに挿入されて固設され、その中心部に上下に貫通されたねじ締め付けホールが形成され、その下端部は前記調整端部側へ突出されて前記調整端部の上昇高さを制限するストッパと、
前記ストッパに形成された前記ねじ締め付けホールに締め付け、その下端部は前記調整端部に接触されて前記調整端部を干渉することにより前記ガイドシャフトを所定角度回動させて前記ガイドシャフトの傾きを調整する調整ねじとを備え、
前記ストッパにより前記光ピックアップが前記ディスクの底面に接触しない程度に前記ガイドシャフトの傾きの調整範囲が制限されることを特徴とする光ディスクプレーヤのティルト調整装置。
【請求項２】
前記調整端部は前記ガイドシャフトの直径と同径を有し、その上部には前記調整ねじが挿入されるように所定深さの調整ねじ挿入ホールが形成されたことを特徴とする請求項１に記載の光ディスクプレーヤのティルト調整装置。
【請求項３】
前記調整端部はその上部が扁平にカッティングされており、前記調整ねじ挿入ホールは前記カッティング面から所定深さに形成されていることを特徴とする請求項２に記載の光ディスクプレーヤのティルト調整装置。
【請求項４】
前記ストッパの下端部は前記カッティング面より上方に位置することを特徴とする請求項３に記載の光ディスクプレーヤのティルト調整装置。
【請求項５】
前記調整ねじ挿入ホールは前記ガイドシャフトが最大に傾いた時、その内周面に前記調整ねじが接触しない程度の直径を有することを特徴とする請求項４に記載の光ディスクプレーヤのティルト調整装置。
【請求項６】
前記ストッパの下端部は前記調整ねじ挿入ホールに所定深さ挿入されることを特徴とする請求項２に記載の光ディスクプレーヤのティルト調整装置。
【請求項７】
前記調整ねじ挿入ホールは前記ガイドシャフトが最大に傾いた時、その内周面に前記ストッパが接触しない程度の直径を有することを特徴とする請求項６に記載の光ディスクプレーヤのティルト調整装置。
【請求項８】
前記調整ねじ挿入ホールは前記ガイドシャフトの中心線下まで形成されたことを特徴とする請求項２に記載の光ディスクプレーヤのティルト調整装置。
【請求項９】
前記ティルト調整装置は前記二つのガイドシャフト各々の第１端部だけではなく、いずれか一つの第２端部にも設けられて３点ティルト調整が可能に成されたことを特徴とする請求項２に記載の光ディスクプレーヤのティルト調整装置。
【請求項１０】
前記ストッパはプラスティック射出物より成ることを特徴とする請求項１に記載の光ディスクプレーヤのティルト調整装置。
【請求項１１】
前記弾性部材は板スプリングであることを特徴とする請求項１に記載の光ディスクプレーヤのティルト調整装置。
【請求項１２】
前記ティルト調整装置は携帯用コンピュータに使用されるスリム型光ディスクプレーヤに適用されることを特徴とする請求項１に記載の光ディスクプレーヤのティルト調整装置。
【発明の詳細な説明】
【０００１】
【発明の属する技術分野】
本発明は光ディスクプレーヤに係り、より詳しくは光ピックアップから射出された光がディスクの記録面に垂直に入射するように光ピックアップのティルトを調整するティルト調整装置に関する。
【０００２】
【従来の技術】
一般に光ディスクプレーヤはコンパクトディスク（ＣＤ）、ディジタルビデオディスク（ＤＶＤ）等の記録媒体に光を照射してデータを記録するか、記録されたデータを再生する装置であり、このために通常ディスクが載置されるターンテーブルと、ターンテーブルを回転させるスピンドルモータ及びそのディスクの記録面に光を照射してデータの記録及び再生を遂行する光ピックアップ等を備える。
【０００３】
こうした光ディスクプレーヤでは光ピックアップから射出された光はディスクの記録面に垂直に入射して初めて正確な焦点の光スポットを形成できる。ところで、例えば光ピックアップの移送をガイドするガイドシャフトが設けられるメインベース又はディスクを支持し、回転させるスピンドルモータは製作及び組立時の公差により正確に水平を維持するのが困難である。かかる場合には光ピックアップの移動によりディスクとの平行度の差が生ずるため、光の入射方向がディスクの記録面に対して正確に垂直に成されない。このように光の入射方向が外れれば、ディスクの記録面に正確な光スポットを形成することができず、それにより、データを記録するか、或いは再生するにおいてエラーが発生しうる。従って、光スポットが正確に形成されるようにするためには、ディスクと光ピックアップの平行度を良好に合わせて光がディスクの記録面に正確に垂直に入射されるようにしなければならない。これをティルト調整又はスキュー調整ともいう。
【０００４】
図１には従来のティルト調整装置が採用された光ディスクプレーヤのメインベースが示されている。
【０００５】
図１を参照すれば、光ディスクプレーヤはディスクを回転させるためのスピンドルモータ２０とディスクの記録面に光を照射してデータの記録及び再生を遂行する光ピックアップ３０を備える。スピンドルモータ２０の上部にはディスクが載置されるターンテーブル２２が設けられており、光ピックアップ３０はピックアップベース３４とここに搭載された対物レンズ３２を始め各種光学部品を備えている。こうしたスピンドルモータ２０と光ピックアップ３０はメインベース１０に組み立てられており、メインベース１０は光ディスクプレーヤのディスクトレー又はハウジングのメインフレ−ムに設けられる。メインベース１０には光ピックアップ３０が移動できるように中空部１２が形成されている。
【０００６】
光ピックアップ３０はディスクの半径方向に移動し、ディスクの記録面に光を照射するが、このためメインベース１０には光ピックアップ移送装置４０が設けられている。光ピックアップ移送装置４０はその回転により光ピックアップ３０を直線移動させるリードスクリュ４６と、駆動モータ４２と、駆動モータ４２の動力をリードスクリュ４６に伝達する連結ギヤ群４４から構成される。そして、光ピックアップ３０の両側には光ピックアップ移送装置４０による光ピックアップ３０の往復直線移動をガイドするための二つのガイドシャフト５１，５２が設けられる。
【０００７】
そして、光ピックアップ３０のティルトを調整するためのティルト調整装置が設けられているが、これは基本的に二つの調整ねじ６１，６２と二枚の板スプリングを使用して二つのガイドシャフト５１，５２各々の傾きを調整することによりディスクの記録面と光ピックアップ３０との平行度を合わせる機能を遂行する。
【０００８】
図２は図１に示されたガイドシャフトとティルト調整装置の結合構造を示した垂直断面図であり、図３は図２に示されたガイドシャフトの傾きが過度調整された時、示される従来の問題点を説明するための図面である。以下では、光ピックアップの両側に設けられたガイドシャフトとティルト調整装置の結合構造は互いに同一なので、いずれか一側についてだけ説明する。
【０００９】
先ず、図２を参照すればガイドシャフト５１の両側端部５１ａ，５１ｂの中スピンドルモータ２０に近い側、即ちディスクＤの領域の内側に位置する支持端部５１ａはメインベース１０に形成された支持溝１４に挿入されて支持される。ガイドシャフト５１の支持端部５１ａは支持溝１４に上下移動がないように挟まれて、調整端部５１ｂが上下移動する時、ヒンジ点の役割を果たす。
【００１０】
ガイドシャフト５１の調整端部５１ｂは調整ねじ６１と板スプリング７１により上下移動可能に支持される。調整ねじ６１はメインベース１０に設けられたブラケット１６に締め付けられ、その下端部はガイドシャフト５１の調整端部５１ｂの上面に接触される。前記ブラケット１６はメインベース１０と共に射出物より成る場合もあるが、最近では通常的に０．８ｍｍ乃至１．０ｍｍの厚さを有する金属板材より成ってメインベース１０上に結合される。板スプリング７１はその一端部が締め付けねじ７３によりメインベース１０の底面に固定され、その他端部はガイドシャフト５１の調整端部５１ｂの底面に接触されて上側に弾性力を印加する。従って、調整ねじ６１を締めるか、或いは外せばガイドシャフト５１の調整端部５１ｂは上下移動され、それによりガイドシャフト５１の傾きが調整されるためガイドシャフト５１によりガイドされる光ピックアップ３０のティルトが調整されうる。
【００１１】
ところで、前記のような従来のティルト調整装置においては、図３に示されたように、調整端部５１ｂのエッジがブラケット１６の底面に接するまでガイドシャフト５１の傾きが調整され、その場合にはガイドシャフト５１が過度に傾いてガイドシャフト５１によりガイドされる光ピックアップ３０がディスクＤの底面に接触する問題点が発生しうる。さらに、調整ねじ６１が締め付けられるブラケット１６が前記のように薄い金属板材より成った場合には、調整端部５１ｂとブラケット１６との間隔がさらに広くなり、それによりガイドシャフト５１の傾きはさらに過度に調整されうる。又、ディスクＤが完全平面を成すことができず若干反った場合には前記のような問題点はさらに発生しやすい。前記のように、ガイドシャフト５１の過度な傾きにより光ピックアップ３０がディスクＤの底面に接触する場合にはディスクＤの底面が損傷を受け、又ディスクＤの円滑な回転が妨害されて光ピックアップ３０がデータを記録するか、或いは再生するにおいてエラーが発生する。
【００１２】
一方、最近に光ディスクプレーヤはさらにコンパクト化されており、特にノート型パソコンのような携帯用コンピュータに採用されるためにはその高さができるだけ最小化されなければならない。従って、携帯用コンピュータに採用されるスリム型光ディスクプレーヤではディスクＤとメインベース１０との間隔が約１ｍｍ程度で非常に狭く維持されるため、前記の問題点はスリム型光ディスクプレーヤで多発する。
【００１３】
そして、ガイドシャフト５１の傾きが最大に調整された時、ブラケット１６上に突出される調整ねじ６１の高さＨ１も最大になる。それにより、調整ねじ６１との干渉を避けるためハウジングカバー９０は調整ねじ６１の突出高さＨ１より高く位置するため、ハウジングカバー９０とメインベース１０との間隔が広まる。従って、従来には調整ねじ６１の突出高さＨ１を低めてスリム化した光ディスクプレーヤを具現するため、示したように調整端部５１ｂの直径がガイドシャフト５１の直径（大略３ｍｍ）より小さいように、例えば２ｍｍ以下になるように加工した。しかし、そのような場合には調整ねじ６１の突出高さＨ１は低めることができるが、調整端部５１ｂとブラケット１６との間隔が広くなるため前記の問題点がさらに発生しやすい問題点がある。
【００１４】
【発明が解決しようとする課題】
本発明の目的は光ピックアップの移送をガイドするガイドシャフトの傾きの調整範囲を光ピックアップがディスクの底面に接触されない程度に制限する構造を有した光ディスクプレーヤのティルト調整装置を提供することである。
【００１５】
【課題を解決するための手段】
前記の目的を達成するために本発明は、光ピックアップから射出される光がディスクの記録面に垂直に入射されるように前記光ピックアップのティルトを調整する光ディスクプレーヤのティルト調整装置において、前記光ピックアップの両側に互いに平行するように設けられて前記光ピックアップの往復移送をガイドする二つのガイドシャフト各々の少なくとも１端部に設けられる調整端部と、前記調整端部の底面に接触するように前記調整端部の下側に配置されて前記調整端部に上方向弾性力を印加する弾性部材と、前記調整端部の上側に設けられたブラケットに形成された貫通ホールに挿入されて固設され、その中心部に上下に貫通されたねじ締め付けホールが形成され、その下端部は前記調整端部側へ突出されて前記調整端部の上昇高さを制限するストッパと、前記ストッパに形成された前記ねじ締め付けホールに締め付け、その下端部は前記調整端部に接触して前記調整端部を干渉することにより前記ガイドシャフトを所定角度回動させて前記ガイドシャフトの傾きを調整する調整ねじとを備え、前記ストッパにより前記光ピックアップが前記ディスクの底面に接触しない程度に前記ガイドシャフトの傾きの調整範囲が制限される光ディスクプレーヤのティルト調整装置を提供する。
【００１６】
前記調整端部は前記ガイドシャフトの直径と同径を有し、その上部には前記調整ねじが挿入されるように所定深さの調整ねじ挿入ホールが形成されたことが望ましい。
【００１７】
そして、前記調整端部はその上部が扁平にカッティングされており、前記調整ねじ挿入ホールは前記カッティング面から所定深さに形成されうる。
【００１８】
又、前記ストッパの下端部は前記カッティング面より上方に位置するか、前記調整ねじ挿入ホールに所定深さ挿入されうる。
【００１９】
前記ティルト調整装置は前記二つのガイドシャフト各々の第１端部だけではなく、いずれか一つの第２端部にも設けられて３点ティルト調整が可能に成されたことが望ましい。
【００２０】
そして、前記の本発明によるティルト調整装置は、望ましくは携帯用コンピュータに使用されるスリム型光ディスクプレーヤに適用される。
【００２１】
このような構成によると、ガイドシャフトの傾きの調整範囲が適正に制限されるためガイドシャフトの過度な傾きによりディスクの底面に光ピックアップが接触する従来の問題点が解消される。
【００２２】
【発明の実施の形態】
以下、添付した図面を参照しながら本発明に係る光ディスクプレーヤのティルト調整装置の望ましい実施例を詳細に説明する。以下の図面で同一な参照符号は同一な構成要素を指す。
【００２３】
図４は本発明の望ましい実施例による光ディスクプレーヤのティルト調整装置の構成と配置とを説明するための斜視図であり、図５は図４に表示されたＡ部分を拡大して示した部分切開斜視図である。
【００２４】
図４と図５とを共に参照すれば、本発明に係る光ディスクプレーヤのティルト調整装置は光ピックアップ３０から射出される光がスピンドルモータ２０のターンテーブル２２に載置された状態で回転するディスクＤの記録面に垂直に入射されるように前記光ピックアップ３０のティルトを調整する装置である。こうした機能を遂行するティルト調整装置は、二つのガイドシャフト１１０，１２０各々のディスクＤの領域外側に位置した端部に設けられる調整端部１１２，１２２と、弾性部材１３０，１４０と、ストッパ１７０，１８０と、調整ねじ１５０，１６０とを備える。
【００２５】
前記ガイドシャフト１１０，１２０は光ピックアップ３０の往復移送をガイドするように光ピックアップ３０の両側に互いに平行するように二つが配置される。二つのガイドシャフト１１０，１２０各々のディスクＤの領域内側に位置した端部にはメインベース１０に形成された支持溝１４に挿入されて支持される支持端部１１１，１２１が設けられる。二つのガイドシャフト１１０，１２０各々のディスクＤの領域外側に位置した調整端部１１２，１２２はその上側に設けられる調整ねじ１５０，１６０とその下側に設けられる弾性部材１３０，１４０により支持される。
【００２６】
前記弾性部材１３０，１４０は調整端部１１２，１２２の下側に配置されて調整端部１１２，１２２に上方向弾性力を印加する。具体的に、弾性部材１３０，１４０の第１端部は締め付けねじ１３２，１４２によりメインベース１０の底面に固定され、第２端部はガイドシャフト１１０，１２０の調整端部１１２，１２２の底面に接触される。かかる弾性部材１３０，１４０としては色々な形態のスプリングを使用しうるが、望ましくは板スプリングが使用される。
【００２７】
前記ストッパ１７０，１８０は本発明の主要な特徴部として調整端部１１２，１２２の上側に設けられたブラケット１６に固設される。具体的に、メインベース１０に設けられたブラケット１６には貫通ホール１８が形成され、この貫通ホール１８に前記ストッパ１７０，１８０が挿入されて固定される。前記ストッパ１７０，１８０の中心部には上下に貫通されたねじ締め付けホール１７２，１８２が形成され、このねじ締め付けホール１７２，１８２に前記調整ねじ１５０，１６０が締め付けられる。前記ねじ締め付けホール１７２，１８２の内周面には調整ねじ１５０，１６０と噛み合うことができるようにねじ山が形成されるが、このねじ山はねじ締め付けホール１７２，１８２の内周面の全体に形成されるか、或いはその一部にのみ形成されうる。
【００２８】
前記ストッパ１７０，１８０の下端部は調整端部１１２との間に所定のギャップが維持されるように調整端部１１２，１２２側に突出される。従って、調整端部１１２，１２２の上昇高さはストッパ１７０，１８０により制限される。ストッパ１７０，１８０の下端部と調整端部１１２，１２２とのギャップはガイドシャフト１１０，１２０の傾きが最大に調整された時、即ち調整端部１１２，１２２が上昇してストッパ１７０，１８０の下端部に接触された時にガイドシャフト１１０，１２０により移送される光ピックアップ３０がディスクＤの底面に接触しない程度に決められる。このように、本発明によると、前記ストッパ１７０，１８０によりガイドシャフト１１０，１２０の傾きの調整範囲が適正に制限されるため、ガイドシャフト１１０，１２０の過度な傾きによりディスクＤの底面に光ピックアップ３０が接触される従来の問題点は発生しない。
【００２９】
前記のような役割を果たすストッパ１７０，１８０は金属材料で製造されうるが、製造コストの低減側面から考慮した場合にプラスティック射出物より成ることが望ましい。
【００３０】
前記調整ねじ１５０，１６０は前記のようにストッパ１７０，１８０のねじ締め付けホール１７２，１８２に締め付けられ、その下端部は調整端部１１２，１２２に接触する。従って、調整ねじ１５０，１６０は調整端部１１２，１２２の上側でその下端部が調整端部１１２，１２２を干渉することによりガイドシャフト１１０，１２０の傾きを調整する。
【００３１】
一方、従来には図２に示されたようにガイドシャフト５１の直径より調整端部５１ｂの直径を狭く加工した。しかし、かかる場合にはガイドシャフト５１と調整端部５１ｂの同心度を正確に管理しなければならない困難な点があった。即ち、前記同心度が合わなければガイドシャフト５１が回転する場合にその傾きが変わる問題点が発生する。こうした従来の問題点を解消するため、図４と図５とに示したように、本発明では前記調整端部１１２，１２２の直径をガイドシャフト１１０，１２０の直径と同一に維持させる。従って、ガイドシャフト１１０，１２０と調整端部１１２，１２２の同心度差による従来の問題点は発生しないため、ガイドシャフト１１０，１２０の製造において同心度を別途に管理しなくても良い長所がある。
【００３２】
そして、前記調整端部１１２，１２２の上部には調整ねじ１５０，１６０が挿入されうるように所定深さの調整ねじ挿入ホール１１４，１２４が形成されうる。所定長さを有した調整ねじ１５０，１６０が所定深さを有した調整ねじ挿入ホール１１４，１２４に挿入されるため、調整ねじ１５０，１６０の突出高さ（図７のＨ２）が低くなり、よりスリムな光ディスクプレーヤを具現できる長所がある。従って、調整ねじ挿入ホール１１４，１２４の深さは調整端部１１２，１２２の強度を維持する限度内でできるだけ深く形成されることが望ましい。概略的に、調整ねじ挿入ホール１１４，１２４はガイドシャフト１１０，１２０の中心線下まで形成されうる。又、調整ねじ１５０，１６０が調整ねじ挿入ホール１１４，１２４に挿入されるため光ピックアップ３０の移送中にガイドシャフト１１０，１２０が回転する問題点が防止される。
【００３３】
そして、前記調整ねじ挿入ホール１１４，１２４は調整ねじ１５０，１６０が自由に挿入されうるように充分な直径を有することができ、望ましくはガイドシャフト１１０，１２０が最大に傾いた時に調整ねじ１５０，１６０がその内周面に接触しない程度の直径を有する。
【００３４】
前記調整端部１１２，１２２の上部には扁平なカッティング面１１６，１２６が形成されることが望ましい。前記カッティング面１１６，１２６は調整端部１１２，１２２の上部を所定高さ程カッティングして除去することにより形成されうる。その場合、前記ストッパ１７０，１８０の下端部はカッティング面１１６，１２６より上方に位置しうる。即ち、ストッパ１７０，１８０の下端部とカッティング面１１６，１２６との間に前記のギャップが維持される。このように、調整端部１１２，１２２にカッティング面１１６，１２６が形成されれば、調整ねじ挿入ホール１１４，１２４は扁平なカッティング面１１６，１２６から所定深さに加工されるので、その加工がたやすい長所がある。又、調整端部１１２，１２２が上昇した時に扁平なカッティング面１１６，１２６がストッパ１７０，１８０の底面に接触するので、それらの間の接触が充分に成される長所がある。
【００３５】
一方、図８に示したように、調整ねじ挿入ホール１１４’はカッティング面が形成されていないガイドシャフト１１０の調整端部１１２’に所定深さに形成してもよい。それでも調整ねじの突出高さを低める目的は達成され、又ガイドシャフト１１０の回転を防止することもできる。しかし、その場合には曲面より成った調整端部１１２’の上面に調整ねじ挿入ホール１１４’を加工するのが難しい短所がある。
【００３６】
又一方、図９と図１０とに示したように、ストッパ１７０の下端部が調整ねじ挿入ホール１１４”に所定深さに挿入されうる。その場合には、ストッパ１７０の下端部と調整ねじ挿入ホール１１４”の底面との間に前記のギャップが維持される。従って、ガイドシャフト１１０の傾き調整時にガイド挿入ホール１１４”の底面がストッパ１７０の下端部に接してガイドシャフト１１０が過度に傾くことを防止する。それでも本発明の目的は達成され、又調整ねじ１５０の突出高さ（図７のＨ２）を低め、ガイドシャフト１１０の回転も防止できる。ところで、前記調整ねじ挿入ホール１１４”はガイドシャフト１１０，１２０が最大に傾いた時にその内周面にストッパ１７０が接触しない程度の直径を有さねばならない。従って、この場合には調整ねじ挿入ホール１１４”の直径が広くなってガイドシャフト１１０の調整端部１１２”が脆弱になる短所がある。
【００３７】
以下では前記のような構成を有した本発明に係るティルト調整装置の作用を図６と図７とを参照して説明する。
【００３８】
図６と図７とは図５に示したガイドシャフトとティルト調整装置の結合構造とその作用を説明するための垂直断面図である。
【００３９】
先ず、図６を参照すれば、ガイドシャフト１１０の支持端部１１１はメインベース１０の支持溝１４に上下移動がないように挟まれて、調整端部１１２が上下移動する時にヒンジ点の役割を果たす。ガイドシャフト１１０の調整端部１１２の上下移動はメインベース１０のブラケット１６に固設されたストッパ１７０に締め付けられている調整ねじ１５０と、メインベース１０の底面に締め付けねじ１３２によりその一端部が固定されている弾性部材１３０により成される。
【００４０】
もし、調整ねじ１５０を締めれば、調整ねじ１５０の下端部が調整ねじ挿入ホール１１４の底面を加圧するためガイドシャフト１１０の調整端部１１２は弾性部材１３０の上方向弾性力を克服し、下側に移動する。それにより、ガイドシャフト１１０は支持端部１１１をヒンジ点として時計方向に所定角度回動される。逆に、調整ねじ１５０を外せば、調整端部１１２は弾性部材１３０の上方向弾性力により上側に移動され、それによりガイドシャフト１１０は反時計方向に所定角度回動されるためその傾きが調整される。
【００４１】
次に、図７を参照すれば、調整端部１１２が所定の高さ程上昇すれば、調整端部１１２の上面、即ちカッティング面１１６がストッパ１７０の下端部に接触するため調整端部１１２はそれ以上上昇できずに、ガイドシャフト１１０はそれ以上傾かない。従って、ガイドシャフト１１０が過度に傾くことによりディスクＤの底面に光ピックアップ３０が接触する従来の問題点は発生しない。
【００４２】
そして、ガイドシャフト１１０の傾きが最大に調整された時にブラケット１６上に突出される調整ねじ１５０の高さＨ２も最大になる。この際、調整ねじ１５０の下端部が調整ねじ挿入ホール１１４に挿入されているため、調整ねじ１５０の突出高さＨ２は従来に比べてずっと低くなる。それにより、メインベース１０とハウジングカバー９０との間隔も従来より縮めることができるため、よりスリムな光ディスクプレーヤを具現できる。
【００４３】
このように本発明に係るティルト調整装置によると、ストッパ１７０によりガイドシャフト１１０の傾きの調整範囲が適正に制限されるため、ガイドシャフト１１０の過度な傾きによりディスクＤの底面に光ピックアップ３０が接触する従来の問題点が解消される。又、光ディスクプレーヤの高さをより低めることができるため、一般的な光ディスクプレーヤをコンパクトに設計するか、或いは製造することができ、特にノート型パソコンのような携帯用コンピュータに採用される場合には全体厚さがより薄いスリム型光ディスクドライブを具現できる。
【００４４】
図１１は３点ティルト調整が可能な本発明の他実施例によるティルト調整装置の構成と配置とを示した斜視図である。ここで、図５と同一な参照符号は同様な構成要素を指す。
【００４５】
従来にはディスクＤと調整ねじの干渉問題によりディスクＤの領域内側にはティルト調整装置を設けることができなかったため、ディスクＤの領域の外に位置した二つの所にのみティルト調整装置を設けて２点ティルト調整方式を取った。
【００４６】
しかし、図１１に示したように本発明によると、調整ねじ２６０の突出高さを低めることができてディスクＤの領域外側だけではなく、ディスクＤの領域内側に位置したガイドシャフト１２０の端部２２２にもティルト調整装置が設けられうる。そのティルト調整装置は光ピックアップ３０の両側に配置された二つのガイドシャフト１１０，１２０の中いずれか一つに設けられる。そして、ディスクＤの領域内側に配置されるティルト調整装置も前述したような構成要素、即ちカッティング面２２６と調整ねじ挿入ホール２２４が形成された調整端部２２２と、弾性部材２４０と、調整ねじ２６０及びストッパ２８０を備える。従って、３点ティルト調整が可能になってより精密なティルト調整が成されうる。
【００４７】
【発明の効果】
以上で説明されたように、本発明に係るティルト調整装置によると次の通りの効果がある。
【００４８】
第１に、ストッパによりガイドシャフトの傾きの調整範囲が適正に制限されるため、ガイドシャフトの過度な傾きによりディスクの底面に光ピックアップが接触する従来の問題点が解消される。
【００４９】
第２に、ガイドシャフトの調整端部に調整ねじ挿入ホールが形成されてメインベース上に突出される調整ねじを低めることができるため、よりスリムな光ディスクプレーヤを具現できる。そして、ガイドシャフトのディスク領域内側に位置した端部でもティルト調整が成されて３点ティルト調整が可能となる。
【００５０】
第３に、ガイドシャフトと調整端部が同一な直径に形成されるためガイドシャフトの製造において同心度を別途に管理しなくても良い。
【００５１】
第４に、調整端部に形成された調整ねじ挿入ホールに調整ねじが挿入されるため、ガイドシャフトの回転が防止されてより安定されたティルト調整が成される。
【００５２】
本発明は開示された実施例を参照して説明したが、それは例示的なものに過ぎず、当該分野で当業者ならそれより多様な変形及び均等な他実施例が可能であるという点を理解するであろう。従って、本発明の真の技術的保護範囲は特許請求の範囲により決まるのである。
【図面の簡単な説明】
【図１】従来のティルト調整装置を採用した光ディスクプレーヤのメインベースを示した斜視図である。
【図２】図１に示したガイドシャフトとティルト調整装置の結合構造を示した垂直断面図である。
【図３】図２に示したガイドシャフトの傾きが過度調整された時に示される従来の問題点を説明するための図面である。
【図４】本発明の望ましい実施例による光ディスクプレーヤのティルト調整装置の構成と配置を説明するための斜視図である。
【図５】図４に表示したＡ部分を拡大して示した部分切開斜視図である。
【図６】図５に示したガイドシャフトとティルト調整装置の結合構造とその作用を説明するための垂直断面図である。
【図７】図５に示したガイドシャフトとティルト調整装置の結合構造とその作用を説明するための垂直断面図である。
【図８】図５に示したガイドシャフトの調整端部の変形例を示した斜視図である。
【図９】図５に示したガイドシャフトの調整端部の他の変形例を説明するための斜視図である。
【図１０】図５に示したガイドシャフトの調整端部の他の変形例を説明するための垂直断面図である。
【図１１】３点ティルト調整が可能な本発明の他実施例によるティルト調整装置の構成と配置とを示した斜視図である。
【符号の説明】
２０　スピンドルモータ
２２　ターンテーブル
３０　光ピックアップ
１１０，１２０　ガイドシャプト
１１１、１２１　支持端部
１１２、１２２　調整端部
１１４、１２４　挿入端部
１１６、１２６　カッティング面
１３０、１４０　単性部材
１３２、１４２　締め付けねじ
１５０、１６０　調整ねじ
１７０、１８０　ストッパ
１７２、１８２　締め付けホール
Ｄ　ディスク
【図１】
2004071136.tif 000003
【図２】
2004071136.tif 000004
【図３】
2004071136.tif 000005
【図４】
2004071136.tif 000006
【図５】
2004071136.tif 000007
【図６】
2004071136.tif 000008
【図７】
2004071136.tif 000009
【図８】
2004071136.tif 000010
【図９】
2004071136.tif 000011
【図１０】
2004071136.tif 000012
【図１１】
2004071136.tif 000013